(57)【要約】ヘアドライヤ用の空気加熱装置であって、中心軸（Ａ）に沿って延在し且つ外面（２ｂ）を備える内側管状体（２）であって、外面（２ｂ）から、相互に角度間隔を置いた複数の放射状バッフル（４）が複数の角度セクタ（Ｓ）を規定するように延びる、内側管状体（２）と、内側管状体（２）の周りに円周方向に延在する波形抵抗コイル（６）と、波形抵抗コイル（６）と電気的に接続された安全装置（９）と、波形抵抗コイル（６）と電気的に接続されたサーモスタット（１０）と、絶縁材料でできており且つ波形抵抗コイル（６）の周りに内側管状体（２）と同軸に配置された外側管状体（１６）とを備える。安全装置（９）およびサーモスタット（１０）は、互いに隣接し且つ共有の放射状バッフル（１１）によって分離された第１の角度セクタ（Ｓ１）および第２の角度セクタ（Ｓ２）にそれぞれ収容され、波形抵抗コイル（６）は、それぞれ、第１の角度セクタ（Ｓ１）および第２の角度セクタ（Ｓ２）に配置された２つの直線部分（１２）と、２つの直線部分（１２）の間に配置され且つ共有の放射状バッフル（１１）を覆う少なくとも１つの固定波形（８）とを備えた複数の第１のターン（７ａ）を含む。
2021531150.tif 000002
【特許請求の範囲】
【請求項１】
ヘアドライヤ用の空気加熱装置であって、
中心軸（Ａ）に沿って延在し且つ外面（２ｂ）を備える内側管状体（２）であって、前記外面（２ｂ）から、相互に角度間隔を置いた複数の放射状バッフル（４）が複数の角度セクタ（Ｓ）を規定するように延びる、内側管状体（２）と、
前記内側管状体（２）の周りに円周方向に延在し、前記複数の放射状バッフル（４）上にある波形抵抗コイル（６）であって、前記中心軸（Ａ）に沿って連続して配置された複数のターン（７）を規定する波形抵抗コイル（６）と、
前記波形抵抗コイル（６）と電気的に接続された安全装置（９）と、
前記波形抵抗コイル（６）と電気的に接続されたサーモスタット（１０）と、
絶縁材料でできており且つ前記波形抵抗コイル（６）の周りに前記内側管状体（２）と同軸に配置された外側管状体（１６）と、を備え、
前記安全装置（９）および前記サーモスタット（１０）は、互いに隣接し且つ共有の放射状バッフル（１１）によって分離された第１の角度セクタ（Ｓ１）および第２の角度セクタ（Ｓ２）にそれぞれ収容され、
前記波形抵抗コイル（６）は、
それぞれ、前記第１の角度セクタ（Ｓ１）および前記第２の角度セクタ（Ｓ２）に配置された２つの直線部分（１２）と、
前記２つの直線部分（１２）の間に配置され且つ前記共有の放射状バッフル（１１）を覆う少なくとも１つの固定波形（８）と、を備えた複数の第１のターン（７ａ）を含む、空気加熱装置。
【請求項２】
前記波形抵抗コイル（６）が、前記内側管状体（２）の周りに円周方向に向けられた一連のピークおよび溝を規定し、前記少なくとも１つの固定波形（８）は、２つの溝を含み、その間に、前記共有の放射状バッフル（１１）にまたがるピークが配置される、請求項１に記載の加熱装置。
【請求項３】
各放射状バッフル（４）は、前記抵抗コイルの前記複数のターンを収容するための一連のシートを規定するように、歯のある半径方向外側縁部（４ｂ）を有し、前記固定波形（８）は、ハウジングシートで前記共有のバッフル（１１）を覆っている、請求項１または２に記載の加熱装置。
【請求項４】
前記安全装置（９）および前記サーモスタット（１０）が、前記中心軸（Ａ）に沿ってそれぞれの軸方向の外形寸法を有し、前記複数の第１のターン（７ａ）は、少なくとも前記軸方向の外形寸法において延びる、請求項１から３のいずれか１項に記載の加熱装置。
【請求項５】
前記波形抵抗コイル（６）が、前記軸方向の外形寸法の外側に位置し且つ前記直線部分（１２）を持たない１つまたは複数の第２のターン（７ｂ）をさらに備える、請求項４に記載の加熱装置。
【請求項６】
前記内側管状体（２）が一体であり、前記相互に角度間隔を置いた複数の放射状バッフル（４）を保持するための複数の保持部分（５）を備える、請求項１から５のいずれか１項に記載の加熱装置。
【請求項７】
前記内側管状体（２）は、プラスチック材料を成形することによって形成され、前記外側管状体（１６）はマイカでできている、請求項６に記載の加熱装置。
【請求項８】
前記内側管状体（２）の外側に第３の角度セクタ（Ｓ３）に配置され且つ前記中心軸（Ａ）に対して横方向に向けられたサーミスタ（１３）を備える、請求項１から７のいずれか１項に記載の加熱装置。
【請求項９】
前記内側管状体（２）が、前記中心軸（Ａ）に沿って、使用時の空気流入口である第１のセクション（３ａ）と、使用時の空気流出口である第２のセクション（３ｂ）との間に延び、前記サーミスタ（１３）は、前記波形抵抗コイル（６）によって加熱された空気の流れを受け取るために、前記第２のセクション（３ｂ）の近くに配置されている、請求項８に記載の加熱装置。
【請求項１０】
前記内側管状体（２）の前記第１のセクションに配置された複数の電気接続（１４）と、前記内側管状体（２）に固定され且つ前記複数の電気接続（１４）から前記サーミスタ（１３）まで延びる少なくとも一対の導電性トラック（１５）とを備える、請求項９に記載の加熱装置。
【請求項１１】
ヘアドライヤ用のブロー装置であって、
請求項１から１０のいずれか１項に記載の加熱装置（１）と、
前記加熱装置（１）の前記内側管状体（２）の内部に収容され且つ前記中心軸（Ａ）と同軸に回転可能な駆動シャフト（５３）を備えた固定子体（５２）を備えた電気モータ（５１）であって、前記駆動シャフト（５３）が前記内側管状体（２）の前記第１のセクション（３ａ）から突出する自由端（５３ａ）まで軸方向に延びる、電気モータ（５１）と、
前記自由端（５３ａ）に固定され且つ前記加熱装置（１）に向けられた空気の流れを生成するように成形された複数のブレード（５４ａ）を備えたファン（５４）と、を備えるブロー装置。
【請求項１２】
前記電気モータ（５１）および前記加熱装置（１）を制御する制御回路（５５）であって、前記加熱装置（１）の前記内側管状体（２）の内部に収容され且つ前記電気モータ（５１）の前記固定子体（５２）に隣接する制御回路（５５）を備える、請求項１１に記載のブロー装置。
【請求項１３】
ヘアドライヤであって、
ハンドル（１０１）と、
前記ハンドル（１０１）に対して横方向に延在し且つ内側管状壁（１０３ａ）と外側管状壁（１０３ｂ）との間に囲まれた環状チャンバ（１０３）を内部に規定する本体（１０２）であって、前記環状チャンバ（１０３）が、その軸方向の端部の一方に配置された少なくとも１つの出口環状口（１０４）を有する、本体（１０２）と、
前記環状チャンバ（１０３）の内部に配置された、請求項１から１０のいずれか１項に記載の加熱装置（１）と、を備えるヘアドライヤ。
【発明の詳細な説明】
【技術分野】
【０００１】
本発明は、ヘアドライヤ用の空気加熱装置、ヘアドライヤ用のブロー装置、および前記装置を含むヘアドライヤに関する。
【０００２】
したがって、本発明は、小型家電製品の分野、より正確には、ヘアドライヤのブローダクト内に挿入される加熱部品の生産および製造にその主な用途を見出す。
【背景技術】
【０００３】
ヘアドライヤ部門は、最終製品に関して数年間ほとんど革新されていないが、最近、技術の観点およびデザインの観点の両方の観点から、かなり革新的な後押しがあった。
【０００４】
特に、ブローダクトの新しい形態が開発され、これは、従来の先細の管状体とは異なり、種々の且つより魅力的な形状を持つ。
【０００５】
特に成功している形態は環状のものであり、ブローダクトはおおよそ円筒形の管状ダクトによって「自明に」範囲を定められるのではなく、一対の同心円管によって適切に範囲を定められたチャンバ内で環状に延びる。
【０００６】
この形態は、特定の且つ効率的な空気の放出を可能にすることに加えて、電化製品の本体を通る「スルー」ライトにより、製品に魅力的で独特の外観を与える。
【０００７】
しかしながら、このタイプの解決策は、スペースの重要な問題をもたらす。まず第一に加熱装置、すなわち、電気抵抗によって規定される、空気を加熱するのに役立つ全ての部品の収容のために利用可能な容積は、実際には非常に制限されているためである。
【発明の概要】
【０００８】
したがって、本発明の目的は、従来技術の上記の欠点を克服することができる、ヘアドライヤ用の空気加熱装置、ブロー装置、および前記装置を含むヘアドライヤを提供することである。
【０００９】
特に、本発明の１つの目的は、コンパクトで且つ効率的な、ヘアドライヤ用の空気加熱装置を提供することである。
【００１０】
さらに、本発明のさらなる目的は、空気流量を増加させるのに特に強力なヘアドライヤを提供することである。
【００１１】
前記目的は、連続する請求項１から１０の１つまたは複数の特徴を有するヘアドライヤ用の空気加熱装置によって、並びに請求項１１および１２に記載のヘアドライヤ用のブロー装置および請求項１３に記載のヘアドライヤによって達成される。
【００１２】
特に、本発明の目的は、中心軸に沿って延在し且つ外面を備える内側管状体であって、当該外面から相互に角度間隔を置いた複数の放射状バッフルが複数の角度セクタを規定するように延びた内側管状体を備えた、ヘアドライヤ用の空気加熱装置によって達成される。
【００１３】
好ましくは、前記内側管状体の周りに円周方向に延在し、前記複数の放射状バッフル上にある波形抵抗コイルであって、中心軸に沿って連続して配置された複数のターンを規定する波形抵抗コイルが備わっている。
【００１４】
好ましくは、前記コイルと電気的に接続された安全装置が備わっている。
【００１５】
装置は、好ましくは、前記コイルと電気的に接続されたサーモスタットを含む。
【００１６】
好ましくは、絶縁材料でできており且つ前記波形抵抗コイルの周りに前記内側管状体と同軸に配置された外側管状体が備わっている。
【００１７】
好ましくは、安全装置およびサーモスタットは、それぞれ、第１および第２の角度セクタに収容されており、これらは、互いに隣接し且つ共有の放射状バッフルによって分離されている。
【００１８】
好ましくは、波形抵抗コイルは、以下を備えた複数の第１のターンを含む。すなわち、
それぞれ、第１および第２の角度セクタに配置された２つの直線部分と、
前記２つの直線部分の間に配置され且つ前記共有の放射状バッフルを覆う少なくとも１つの固定波形と、を備えた複数の第１のターンを含む。
【００１９】
有利なことに、このようにして、コイルの安定性を損なうことなく、安全装置およびサーモスタットを収容するためのスペースが得られる。
【００２０】
さらに、好ましくは、安全装置およびサーモスタットは、前記中心軸に沿ってそれぞれの軸方向の外形寸法を有する（内側管状体のサイズよりも小さい）。
【００２１】
複数の第１のターンは、好ましくは、少なくとも前記軸方向の外形寸法において延びる。
【００２２】
さらに、好ましくは、波形抵抗コイルは、前記軸方向の外形寸法の外側に位置し且つ前記直線部分を持たない１つまたは複数の第２のターンを含む。
【００２３】
有利なことに、このようにして、加熱装置の容積を損なうことなく、発熱が最大化される。
【００２４】
装置は、好ましくは、第３の角度セクタで内側管状体の外側に配置され且つ前記中心軸に対して横方向に向けられ、気流と接触する表面を最大化するサーミスタを備える。
【００２５】
内側管状体は、使用時の空気流入口である第１のセクションと、使用時の空気流出口である第２のセクションとの間で中心軸に沿って延びることに留意されたい。
【００２６】
サーミスタは、波形抵抗コイルによって加熱された空気の流れを受け取るために、好ましくは第２のセクションの近くに配置される。
【００２７】
サーミスタおよび波形ワイヤへの電力の供給を可能にするために、内側管状体の前記第１のセクションに配置された複数の電気接続と、内側管状体に固定され且つ前記電気接続から前記サーミスタまで延びる少なくとも１対の導電性トラックとが備わっている。
【００２８】
これまでに説明されてきたことに関して補完的であるが独立している、本発明のさらなる態様によれば、本発明の目的は、ハンドルおよび前記ハンドルに対して横方向に延在し且つその中に格納区画を規定する本体を含むヘアドライヤによって達成される。
【００２９】
好ましくは、前記本体は、その主軸に沿って、吸引口と環状ブローノズルを規定する空気出口との間で延びる。
【００３０】
特に、本体は第１の端部と第２の端部との間に延びる。
【００３１】
好ましくは、第１の端部は吸引口を有し、第２の端部は環状ブローノズルを規定する空気出口を有する。
【００３２】
好ましくは、格納区画に収容されたブロー装置が備わっている。
【００３３】
ブロー装置は、好ましくは、ヘアドライヤ用の空気加熱装置、電気モータ、およびファンを含む。
【００３４】
好ましくは、空気加熱装置は、中心軸に沿って延在する内側管状体を含み、その周りに波形抵抗コイルが巻かれており、波形抵抗コイルは、中心軸に沿って連続して配置された複数のターンを規定する。
【００３５】
好ましくは、電気モータは、加熱装置の内側管状体の内部に収容され且つ前記中心軸と同軸に回転可能な駆動シャフトを備えた固定子体を備えている。
【００３６】
好ましくは、ファンは、駆動シャフトの自由端に固定され且つ加熱装置に向けられた空気の流れを生成するように成形された複数のブレードを備えている。
【００３７】
好ましくは、ブロー装置は、前記ファンが加熱装置の前記内側管状体と前記吸引口との間に配置されるように向けられる。
【００３８】
有利なことに、このようにして、従来のタイプのケーシング（または本体）の存在下でさえ、空気流量の高い増加係数を有するヘアドライヤを得ることが可能であり、装置の製造を簡単且つ安価にする。
【００３９】
本発明のさらなる態様によれば、ブロー装置は、前記電気モータおよび前記加熱装置を制御する制御回路を含み、これは、加熱装置の前記内側管状体の内部に収容され且つ電気モータの固定子体に隣接する。
【図面の簡単な説明】
【００４０】
これらおよび他の特徴は、それに関連する利点とともに、添付の図に示されているように、以下の例示的な、したがって非限定的な、ヘアドライヤ用の空気加熱装置およびブロー装置の好ましい、したがって非排他的な実施形態の説明からより明らかになるであろう。
【図１】本発明によるヘアドライヤ用の空気加熱装置の正面斜視図を示す。
【図２】他の部分を強調表示するために一部が削除された、図１と同じ斜視図を示す。
【図３】図１の加熱装置の正面図を示す。
【図４】他の部分を強調表示するために一部が削除された、図１の空気加熱装置の背面斜視図を示す。
【図５】本発明の第１の実施形態によるヘアドライヤの概略断面図を示す。
【図６ａ−６ｂ】それぞれ、本発明によるヘアドライヤ用のブロー装置の正面および背面の斜視概略図を示す。
【図７ａ−７ｃ】本発明による第２の実施形態によるヘアドライヤの断面図、側面図、および正面図を概略的に示す。
【発明を実施するための形態】
【００４１】
添付の図を参照して、数字１は、本発明によるヘアドライヤ１００、２００用の空気加熱装置を示す。
【００４２】
加熱装置１は、支持体（以下でより良く説明される）に加えて、抵抗コイルであって、電流がそれを通過するときに、それに当たる気流の温度を上昇させるように過熱する抵抗コイルを含むという点で、一般に「抵抗」として規定されるタイプである。
【００４３】
したがって、一般に、空気加熱装置１は支持体を備え、支持体の周りに少なくとも１つの抵抗ワイヤが巻かれており、気流の温度を上昇させるために、動作可能に上流に配置された通気／ブロー手段によって生成された気流が、使用中、少なくとも１つの抵抗ワイヤに当たる。
【００４４】
本発明に関して、支持体は、中心軸「Ａ」に沿って延在する内側管状体２であって、両方ともが実質的に円筒形である内面２ａおよび外面２ｂを備えた内側管状体２によって規定される。
【００４５】
内側管状体２は、第１のセクション３ａと第２のセクション３ｂとの間で中心軸「Ａ」に沿って長手方向に延びる。
【００４６】
使用中、すなわち、装置１がヘアドライヤ１００、２００に取り付けられている場合、第１のセクション３ａは空気流入口セクションであり、第２のセクション３ｂは空気流出口セクションである。
【００４７】
相互に角度間隔を置いた複数の放射状バッフル４は、複数の角度セクタ「Ｓ」を規定するように、内側管状体２の外面２ｂから延びる。
【００４８】
これらの放射状バッフル４は、内側管状体２内に係合する半径方向内側縁部と半径方向外側縁部４ａとの間で、内側管状体２の外面２ｂから始まり、半径方向に沿ってそれから離れる（中心軸「Ａ」から発散する）ように、主軸に平行に延在する。
【００４９】
内側管状体２は、好ましくは、上記複数の放射状バッフル４に結合された複数の保持部分５を備える。
【００５０】
より正確には、内側管状体２は、外面２ｂにおいて、各々が対応するそれぞれの放射状バッフル４を有し且つそれを保持し且つそれを直立位置に保つ複数の結合／結合可能なハウジングを備える。
【００５１】
好ましい実施形態では、内側管状体２は単一の本体であり、上記複数の保持部分５はその上に直接形成されることに留意されたい。
【００５２】
好ましくは、内側管状体２は、断熱プラスチック材料でできており、より好ましくは、上記複数の保持部分５は、成形によって得られる。
【００５３】
代わりに、上記複数の放射状バッフル４は、好ましくは、電気絶縁および耐熱材料、例えば、マイカまたは他の帯電防止材料でできている。
【００５４】
装置１はさらに、内側管状体２の周りに円周方向に延びる波形抵抗コイル６を備え、波形抵抗コイル６は、前述のように、それに当たる気流を加熱する目的を有する。
【００５５】
コイル６は、上記複数の放射状バッフル４上に載って延在し且つ中心軸「Ａ」に沿って連続して配置された複数のターン７を規定する。
【００５６】
熱伝達を最大化するために、コイル６を形成する抵抗ワイヤは、正弦波および／またはジグザグおよび／または正方形および／またはらせん状のうねり、より一般的には、あらゆる形態のうねりを含むことができる少なくとも１つの事前に規定された波形に従って成形されることに留意されたい。
【００５７】
図示の実施形態では、コイルの各ターン７は、一連のピークおよび溝を規定する波状パターンに従って、内側管状体２の周りに円周方向に延びる。
【００５８】
好ましくは、各放射状バッフル４の半径方向外側縁部４ａは、抵抗コイル６のターン７のための一連のハウジングシートを規定するために、歯のある形状を有する。
【００５９】
換言すれば、溝が２つの連続する歯の間に形成され、放射状バッフル４上にあるターン７のセクションをその中に収容して、それが軸方向にスライドするのを防ぐ。
【００６０】
好ましくは、上述の複数のターン７は、半径方向外側縁部４ａを覆う波形ワイヤの少なくとも１つのピークによって規定される固定波形８が各放射状バッフル４に配置されるようなサイズである。
【００６１】
有利なことに、この構造はコイルに安定性を与え、その効率を最大化し、とりわけ、衝撃に対する堅牢性を保証する。
【００６２】
熱的および電気的観点の両方からコイル６の安全性を保証するために、装置１は、前記波形抵抗コイル６と電気的に接続された安全装置９およびサーモスタット１０を備える。
【００６３】
より正確には、安全装置９およびサーモスタット１０は、電流が抵抗ワイヤを流れる前に電流を遮ることを可能にするために、波形抵抗コイル６の電気的に上流に配置されている。
【００６４】
安全装置９は、好ましくは温度ヒューズであり、より好ましくは、異常な動作状態での過度の温度を防ぐために（７０℃から２６０℃の温度で）調整される。
【００６５】
他方、サーモスタット１０は、好ましくは、温度制限値を超えた場合に、可逆的な方法で接点を開くように（６０℃から１７０℃の温度で）調整される。
【００６６】
本発明の態様の１つによれば、安全装置９およびサーモスタット１０は、それぞれ、互いに隣接し且つ共有の放射状バッフル１１によって分離された第１の角度セクタ「Ｓ１」および第２の角度セクタ「Ｓ２」に収容される。
【００６７】
より正確には、安全装置９およびサーモスタット１０はそれぞれ、中心軸「Ａ」に平行に向けられた優先方向に沿って延びる。
【００６８】
好ましい実施形態では、内側管状体２は、前記第１の角度セクタＳ１および／または第２の角度セクタＳ２において、安全装置９および／またはサーモスタット１０を受け入れるためのそれぞれのスロット２ｃを有する。
【００６９】
このスロットは、安全装置９またはサーモスタット１０の厚さの少なくとも一部が内側管状体２に埋め込まれることを可能にし、したがって、それぞれの角度セクタ内のその半径方向の外形寸法を縮小する。
【００７０】
第１の角度セクタ「Ｓ１」および第２の角度セクタ「Ｓ２」は、好ましくは、他の角度セクタ「Ｓ」よりも大きいサイズを有することに留意されたい。
【００７１】
好ましい実施形態では、第１の角度セクタ「Ｓ１」および第２の角度セクタ「Ｓ２」は、同じ角度サイズ、より好ましくは約４５°の角度サイズを有する。
【００７２】
代わりに、他の角度セクタ「Ｓ」は約３０°の角度サイズを有する。
【００７３】
言い換えれば、角度セクタ「Ｓ」を規定する放射状バッフル４は、安全装置９およびサーモスタット１０のハウジング容積を増加させるために異なる角度配置を持つ角度セクタ「Ｓ１」および第２の角度セクタ「Ｓ２」を規定する放射状バッフル４を除いて、互いに角度的に等間隔に配置されている。
【００７４】
本発明のさらなる態様によれば、さらに、波形抵抗コイル６は、以下を備えた複数の第１のターン７ａを備える。すなわち、
それぞれ、第１の角度セクタ「Ｓ１」および第２の角度セクタ「Ｓ２」に配置された２つの直線部分１２と、
前記２つの直線部分１２の間に配置され且つ前記共有の放射状バッフル１１を覆う少なくとも１つの固定波形８と、を備えた複数の第１のターン７ａを備える。
【００７５】
有利には、このようにして、装置１の効率性またはその堅牢性を損なうことなく、安全装置９およびサーモスタット１０を第１の角度セクタ「Ｓ１」および第２の角度セクタ「Ｓ２」内に収容するのに十分なスペースを作り出すことが可能である。
【００７６】
好ましくは、固定波形８は、２つの溝を含み、その間に、共有の放射状バッフル１１にまたがるピークが配置され、好ましくは、バッフルの半径方向外側縁部の２つの連続する歯の間に収容される。
【００７７】
したがって、２つの直線部分１２は、実際には、内側管状体２の外側で中心軸「Ａ」に沿って延びる２つの角柱ハウジング（すなわち、平行六面体）を規定する。
【００７８】
安全装置９およびサーモスタット１０は、中心軸「Ａ」に沿ってそれぞれの軸方向の外形寸法を有し、好ましくは内側管状体２の軸方向範囲よりも小さく、波形抵抗コイル６の複数の第１のターン７ａは、前記軸方向の外形寸法において延びることに留意されたい。
【００７９】
好ましい実施形態によれば、波形抵抗コイル６は、前記軸方向の外形寸法の外側に位置し且つ前記直線部分１２を持たない１つまたは複数の第２のターン７ｂを含む。
【００８０】
有利なことに、このようにして、コイルの分布が最適化され、熱の生成が最大化される。
【００８１】
好ましくは、さらに、装置は、第３の角度セクタＳ３で内側管状体２の外側に配置され且つ前記中心軸「Ａ」に対して横方向に向けられたサーミスタ１３をさらに備える。
【００８２】
好ましくは、正確で且つユーザの知覚と一致する測定のために、サーミスタ１３は、内側管状体２の第２のセクション３ｂの近くに配置される。
【００８３】
このようにして、実際には、サーミスタは、波形抵抗コイル６によって既に加熱された気流を受け取るように配置され、ユーザの知覚と起こり得る制御との間の遅延を可能な限り低減する。
【００８４】
これに関して、装置１は、内側管状体２の第１のセクション３ａに配置された複数の電気接続１４を含むことに留意されたい。サーミスタ１３への電流の伝達を可能にするために、内側管状体２に固定され且つ前記複数の電気接続１４から前記サーミスタ１３まで延びる少なくとも１対の導電性トラック１５が備わっている。
【００８５】
好ましくは、一対のトラック１５は、内側管状体２の内面２ａに固定されている。
【００８６】
さらに、好ましくは、装置１は、絶縁材料でできており且つ前記波形抵抗コイル６を保護するために前記波形抵抗コイル６の周りに前記内側管状体２と同軸に配置された外側管状体１６をさらに備える。
【００８７】
好ましい実施形態では、外側管状体１６もマイカなどでできているが、放射状バッフル４と同じ材料でできている。
【００８８】
好ましくは、位置決め中に、外側管状体１６は、内側管状体２に取り付けられる。
【００８９】
これに関して、組み立て位置の達成を容易にするために、放射状バッフル４の少なくとも一部の半径方向外側縁部は、外側管状体１６の周縁に隣接するサイズの軸方向の放射状当接ショルダ１７を備える。
【００９０】
加熱装置１は、そのコンパクトで且つ環状形態のおかげで、使用中、ハンドル１０１および（少なくとも使用中）ハンドルを横切って延び且つ内側管状壁１０３ａと外側管状壁１０３ｂとの間に囲まれた環状チャンバ１０３をその中に規定する本体１０２を含むヘアドライヤ１００の内部に挿入される。
【００９１】
環状チャンバ１０３は、図５に概略的に示されるように、その軸方向の端部の一方に位置する少なくとも１つの出口環状口１０４を有し且つ内部に加熱装置１を含む。
【００９２】
図６ａ−６ｂに示されるさらなる実施形態では、加熱装置１は、ヘアドライヤ１００、２００用の通気（またはブロー）装置５０のアセンブリにおいて使用される。
【００９３】
実際には、このブロー装置５０は、電気モータ５１が加熱装置１の内側管状体２の内部に収容されなければならないことを提供する。
【００９４】
特に、電気モータ５１は、固定子体５２と、駆動シャフト５３に接続された回転可能な回転子とを備える。
【００９５】
固定子体５２は、内側管状体２に収容されている。駆動シャフト５３は、中心軸「Ａ」と同軸に回転可能であり且つ内側管状体２の第１のセクション３ａから突出する自由端５３ａまで軸方向に延びる。
【００９６】
換言すれば、自由端５３ａは、加熱装置１の軸方向の外形寸法から突出している。
【００９７】
これに関して、実際には、ブロー装置５０は、シャフトの前記自由端５３ａに固定されたファン５４であって、加熱装置１に向けられた空気の流れを生成するように成形された複数のブレード５４ａを備えたファン５４を備える。
【００９８】
特に、ファン５４は、内側管状体２の第１のセクション３ａに面し且つ上記の複数のブレードが少なくとも部分的に波形抵抗コイル６に面するように半径方向の広がりを有する。
【００９９】
有利なことに、このようにして、加熱および通気／ブロー動作が限られたスペースで実行される、非常にコンパクトで且つ機能的な構造を得ることが可能である。
【０１００】
さらに、好ましくは、ブロー装置５０はまた、電気モータ５１および／または加熱装置１のための制御回路５５を含む。
【０１０１】
次に、この制御回路５５は、好ましくは、加熱装置１の内側管状体２の内部に収容され且つ電気モータ５１の固定子体５２に隣接し、これにより、装置５０の外形寸法をさらに小さくすることができる。
【０１０２】
本明細書に記載のブロー装置５０および本発明の目的に関して、抵抗コイルは任意のタイプまたは形状であり得、例えば角度セクタの外側に配置することもできる安全装置９およびサーモスタット１０を収容するための直線部分の存在を含むことは、好ましくはあるが厳密には必要ではないことに留意されたい。
【０１０３】
実際、抵抗コイルの形態並びに安全装置９およびサーモスタット１０の配置とは無関係に、ブロー装置５０は、図７ａ−７ｃに例として概略的に示されるヘアドライヤ２００の内部で使用することができる。
【０１０４】
そのようなヘアドライヤ２００は、ハンドル２０１と、前記ハンドル２０１に対して横方向に延びる本体２０２とを備える。
【０１０５】
本体２０２は、その中に、第１の端部２０３ａと第２の端部２０３ｂとの間にその主軸に沿って延びる格納区画２０３を規定する。
【０１０６】
第１の端部２０３ａは、吸引口２０４を有する。換言すれば、開口部は、好ましくはグリッド２０５またはフィルタメッシュによって塞がれている第１の端部２０３ａに設けられている。
【０１０７】
他方、第２の端部２０３ｂは、環状ブローノズル２０７を規定する空気出口２０６を有する。
【０１０８】
ブロー装置５０は、格納区画２０３内に収容され且つファン５４が前記吸引口２０４に面するように向けられ、加熱装置１の内側管状体２の前記第２のセクションは前記出口２０６に面する。
【０１０９】
好ましくは、ブローノズル２０７の環状形状を規定するために、セクションレデューサ２０８が設けられており、これは、環状ギャップの範囲を定めるように本体２０２の前記出口２０６に同軸に挿入される。
【０１１０】
より正確には、セクションレデューサ２０８は、出口２０６に挿入され且つ部分的にその外側に突出する少なくとも１つの管状壁２０８ａと、ヘアドライヤ２００の外側から見える少なくとも１つの後壁２０８ｂとを備える。
【０１１１】
本発明は、意図された目的を達成し、重要な利点を達成する。
【０１１２】
実際、固定波形を組み入れた２つの隣接する直線部分を備えた複数のターンを有するコイルの配置は、その（機械的）堅牢性を損なうことなく、装置の効率を最大化することを可能にする。
【０１１３】
実際、ヒューズとサーモスタットを２つの隣接する角度セクタに配置することにより、内側管状体に沿った電気接続を減らすことが可能になる。
【０１１４】
２つの直線部分の間に固定波形を設けることにより、２つの直線部分が、知られているように、衝撃に対する顕著な耐性を保証する必要があるコイルの脆弱性を増加させるのを防ぐ。
【０１１５】
さらに、直線部分の存在に関係なく、「同軸の」加熱装置の配置により、モータ／抵抗構造を組み合わせることが可能になり、コンパクトなブロー装置を非常に簡単に製造できる。
【０１１６】
さらに、環状の熱気流を生成することができるこのブロー装置の使用は、従来のタイプの格納本体の存在下でさえ空気の環状ブレードを生成するように設計されたヘアドライヤの製造のために、革新的な方法で利用することができる。
【図１】
2021531150.tif 000003
【図２】
2021531150.tif 000004
【図３】
2021531150.tif 000005
【図４】
2021531150.tif 000006
【図５】
2021531150.tif 000007
【図６ａ】
2021531150.tif 000008
【図６ｂ】
2021531150.tif 000009
【図７ａ】
2021531150.tif 000010
【図７ｂ】
2021531150.tif 000011
【図７ｃ】
2021531150.tif 000012
【国際調査報告】
2021531150.tif 000013
2021531150.tif 000014